(57)【特許請求の範囲】
【請求項１】
記録すべき複数チャネルの信号を入力し、これらの信号を複数本のバスラインのそれぞれに選択的に供給して前記各バスライン上でミキシング情報を生成し、これら各バスライン上のミキシング情報を記録媒体上の各トラックへの記録情報として出力するマルチトラックレコーダにおいて、
前記複数本のバスラインに接続され、これらのバスラインを他のマルチトラックレコーダと相互に共通のバスラインとなるように接続可能にする外部端子を備えたことを特徴とするマルチトラックレコーダ。
【請求項２】
複数のマルチトラックレコーダを接続することにより構成されるマルチトラックレコーダシステムであって、
前記マルチトラックレコーダは、
記録媒体に複数のトラックの信号を記録再生可能なレコーダ部と、
前記複数のトラックのそれぞれに対応した複数のバスラインであって、各バスラインは、供給される信号をミキシングしてミキシング信号を生成し、該ミキシング信号を前記対応するトラックへ記録信号として供給する複数のバスラインと、
前記複数のトラックのそれぞれに対応する複数の入力部であって、外部から入力された入力信号又は対応する前記トラックからの再生信号を前記複数のバスラインのうちのいずれかに選択的に供給する複数の入力部と
を備え、
前記複数のマルチトラックレコーダは、前記バスライン同士を相互に接続し、
前記各マルチトラックレコーダの記録媒体の各トラックには、前記相互に接続された全マルチトラックレコーダにおける当該トラックに対応したバスライン上のミキシング信号が前記記録信号として供給される
ことを特徴とするマルチトラックレコーダシステム。
【請求項３】
前記記録媒体上に記録される記録信号は同期制御用信号を含むディジタル記録情報であり、前記複数のマルチトラックレコーダは、前記同期用信号に基づいて前記複数の入力部から入力される信号を同期させて記録するものであることを特徴とする請求項２記載のマルチトラックレコーダシステム。
【請求項４】
前記複数の入力部に入力信号を供給する複数台のディスク再生装置を更に備え、
前記ディスク再生装置は、ディスクに圧縮されて記録されたデータを前記ディスクから読み出して、その読み出しデータを第１の速度で記憶手段に間欠的に書き込みながら、前記記憶手段に書き込まれた読み出しデータを前記第１の速度よりも遅い第２の速度で間断なく読み出してデータ伸長したのち、再生信号として出力するディスク再生装置であって、
前記複数台のディスク再生装置の一つは、同期制御用のクロック信号と、前記ディスク上の再生アドレスと、前記記憶手段から前記読み出しデータを読み出すタイミングを与える読み出し開始信号とを、他のディスク再生装置に供給し、全ての前記ディスク再生装置は、前記読み出し開始信号及び前記クロック信号に基づいて同時に再生信号を出力するものである
ことを特徴とする請求項２記載のマルチトラックレコーダシステム。
【発明の詳細な説明】
【０００１】
【産業上の利用分野】
この発明は、カセットテープ、ディジタルオーディオテープ（ＤＡＴ）、ディジタルコンパクトカセット（ＤＣＣ）、ミニディスク（ＭＤ）、マグネティックオプティカル（ＭＯ）のような記録媒体の各トラックに複数チャネルの入力信号を独立に記録するためのマルチトラックレコーダ（ＭＴＲ）及びそれを用いたシステムに関する。
【０００２】
【従来の技術】
複数の入力チャネルに供給されたオーディオ信号を複数の記録トラックのそれぞれに独立して記録するためのマルチトラックレコーダでは、入力チャネル数に見合ったバスを内部に備え、このバス上において、任意のチャネルの信号をミキシングして任意の記録トラックに記録できるようになっている。
例えば、４ｃｈ入力−４ｂｕｓ−４ｔｒＭＴＲでは、４トラックのカセットテープ上に４チャネルの信号を記録するため、４本のバスが設けられている。
また、入力チャネル数として例えば８チャネルを必要とする場合には、８チャネル又はそれ以上の入力チャネル数のＭＴＲが必要になるが、このように入力チャネルが多いＭＴＲは、普及型の４ｃｈ入力−４ｂｕｓ−４ｔｒＭＴＲに比べ、極端に高価であるという問題がある。
そこで、従来は、４ｃｈ入力ＭＴＲを複数台接続することによって、入力チャネル数の増加に対応することがなされている。
【０００３】
図８は、複数台のＭＴＲを用いた従来のシステム構成例を示す図である。
入力チャネル数が８で、これらを１つのトラックに記録する場合には、図８（ａ）に示すように、３台のＭＴＲ５１〜５３が用いられる。記録すべき信号Ｓ１〜Ｓ４，Ｓ５〜Ｓ８は、ＭＴＲ５１，５２でそれぞれミキシングされ、ミキシング信号Ｍ１，Ｍ２としてＭＴＲ５３に供給される。ここで供給されたミキシング信号Ｍ１，Ｍ２は、ＭＴＲ５３で更にミキシングされたのち、カセットテープの特定のトラック上に記録される。
【０００４】
入力チャネル数が５〜７の場合には、図８（ｂ）に示すように、２台のＭＴＲ５１，５２が用いられる。記録すべき信号Ｓ１〜Ｓ４は、ＭＴＲ５１でミキシングされ、ミキシング信号Ｍ１としてＭＴＲ５２に供給される。このミキシング信号Ｍ１は、残りの記録されるべき信号Ｓ５〜Ｓ７と共に、ＭＴＲ５２のカセットテープ上に記録される。
【０００５】
また、一度に記録可能なチャネル数を超えた分のチャネルの後追い録音をいわゆるピンポン録音によって行う場合には、図８（ｃ）に示すように、まず、ＭＴＲ５１のカセットテープ上の各トラックに別々のパートを独立に記録したのち、これらのトラックを再生し、この再生データをＭＴＲ５２でミキシングしながら、ＭＴＲ５２のカセットテープ上の空いたトラックに記録する。次に、ＭＴＲ５２のカセットテープの他のトラックに別のパートをそれぞれ独立に記録したのち、ケーブルを図中破線のようにつなぎかえて、ＭＴＲ５２のカセットテープの各トラックの再生データをＭＴＲ５１でミキシングしてＭＴＲ５１のカセットテープの空きトラックに記録する。以後、同様の操作を繰り返す。
【０００６】
【発明が解決しようとする課題】
しかしながら、上述した従来のマルチトラックレコーダを複数台接続したシステムでは、図８（ａ）のように、複数台のＭＴＲの全ての入力チャネルを使用しようとすると、これらＭＴＲからの合成出力を更に合成するためのＭＴＲを、もう１台余分に使用しなくてはならず、システムがコストアップになるという問題がある。
また、図８（ｂ）のように、前段のＭＴＲの合成出力を後段のＭＴＲの１つの入力チャネルに供給するシステムでは、余分なＭＴＲを必要としないものの、この場合には、前段のＭＴＲに入力される入力信号を別々のトラックに記録することができず、どの入力信号をどのＭＴＲのどのチャネルに割り当てるかが制限され、接続も煩雑になるという問題がある。
更に、図８（ｃ）のようにピンポン録音を行う場合には、ケーブルのつなぎかえが頻繁に必要となるので、ＭＴＲ操作も含め、作業が煩雑になると共に記録ミスも生じ易くなる。
【０００７】
この発明は、このような問題点に鑑みなされたもので、従来よりも少ない台数のマルチトラックレコーダでシステムを構成することができると共に、入力信号の入力先に制限を受けず、編集作業も容易になるマルチトラックレコーダ及びそれを用いたシステムを提供することを目的とする。
【０００８】
【課題を解決するための手段】
この発明に係るマルチトラックレコーダは、記録すべき複数チャネルの信号を入力し、これらの信号を複数本のバスラインのそれぞれに選択的に供給して前記各バスライン上でミキシング情報を生成し、これら各バスライン上のミキシング情報を記録媒体上の各トラックへの記録情報として出力するマルチトラックレコーダにおいて、前記複数本のバスラインに接続され、これらのバスラインを他のマルチトラックレコーダと相互に共通のバスラインとなるように接続可能にする外部端子を備えたことを特徴とする。
【０００９】
また、この発明に係るマルチトラックレコーダシステムは、複数のマルチトラックレコーダを接続することにより構成されるマルチトラックレコーダシステムであって、前記マルチトラックレコーダが、記録媒体に複数のトラックの信号を記録再生可能なレコーダ部と、前記複数のトラックのそれぞれに対応した複数のバスラインであって、各バスラインは、供給される信号をミキシングしてミキシング信号を生成し、該ミキシング信号を前記対応するトラックへ記録信号として供給する複数のバスラインと、前記複数のトラックのそれぞれに対応する複数の入力部であって、外部から入力された入力信号又は対応する前記トラックからの再生信号を前記複数のバスラインのうちのいずれかに選択的に供給する複数の入力部とを備え、前記複数のマルチトラックレコーダが、前記バスライン同士を相互に接続し、前記各マルチトラックレコーダの記録媒体の各トラックには、前記相互に接続された全マルチトラックレコーダにおける当該トラックに対応したバスライン上のミキシング信号が前記記録信号として供給されることを特徴とする。
【００１０】
この発明に係るマルチトラックレコーダシステムの一つの実施形態は、前記記録媒体上に記録される記録信号が同期制御用信号を含むディジタル記録情報であり、前記複数のマルチトラックレコーダが、前記同期用信号に基づいて前記複数の入力部から入力される信号を同期させて記録するものであることを特徴とする。
【００１１】
更に、この発明に係るマルチトラックレコーダシステムの他の実施形態は、前記複数の入力部に入力信号を供給する複数台のディスク再生装置を更に備え、前記ディスク再生装置が、ディスクに圧縮されて記録されたデータを前記ディスクから読み出して、その読み出しデータを第１の速度で記憶手段に間欠的に書き込みながら、前記記憶手段に書き込まれた読み出しデータを前記第１の速度よりも遅い第２の速度で間断なく読み出してデータ伸長したのち、再生信号として出力するディスク再生装置であって、前記複数台のディスク再生装置の一つは、同期制御用のクロック信号と、前記ディスク上の再生アドレスと、前記記憶手段から前記読み出しデータを読み出すタイミングを与える読み出し開始信号とを、他のディスク再生装置に供給し、全ての前記ディスク再生装置は、前記読み出し開始信号及び前記クロック信号に基づいて同時に再生信号を出力するものであることを特徴とする。
【００１２】
【作用】
この発明によれば、マルチトラックレコーダの複数本のバスラインが、これらバスラインを他のマルチトラックレコーダと接続可能にする外部端子に接続されているので、各マルチトラックレコーダの複数本のバスラインを前記外部端子を介して相互に共通のバスとなるように接続することができる。
【００１３】
複数台の前記マルチトラックレコーダの外部端子をマルチケーブルコネクタで相互に接続した場合、前記複数台のマルチトラックレコーダで前記複数本のバスラインを共有することができるので、複数台のマルチトラックレコーダをあたかも１台のマルチトラックレコーダのように使用することができる。このため、全ての入力端子を無駄なく使用することができると共に、複数の記録すべき信号をそれぞれ独立して記録することができる。また、ピンポン録音を行うとき、作業の煩雑さも解消される。
【００１４】
なお、記録媒体上に記録される記録情報に同期制御用信号を含ませておき、複数台のマルチトラックレコーダでこの同期制御用信号に基づいて複数チャネルの信号を同期記録させるようにすれば、高価なシンクロナイザを用いずに容易に複数の入力ソースの同期をとることができる。
【００１５】
また、入力ソースが、例えばＭＤのように、ディスクに圧縮されて記録されたデータを前記ディスクから読み出して、その読み出しデータを第１の速度で記憶手段に間欠的に書き込みながら、前記記憶手段に書き込まれた読み出しデータを前記第１の速度よりも遅い第２の速度で間断なく読み出してデータ伸長したのち、再生信号として出力するディスク再生装置の場合には、前記複数台のディスク再生装置の一つが、同期制御用のクロック信号と、前記ディスク上の再生アドレスと、前記記憶手段から前記読み出しデータを読み出すタイミングを与える読み出し開始信号とを、他のディスク再生装置に供給し、全ての前記ディスク再生装置が、前記読み出し開始信号及び前記クロック信号に基づいて同時に再生信号を出力することにより、同様の同期記録を実現することができる。
【００１６】
【実施例】
以下、図面を参照して、この発明の実施例を説明する。
図１は、この発明の一実施例に係るＭＴＲ１の構成を示すブロック図である。なお、ここでは、４ｃｈ入力−４ｂｕｓ−４ｔｒのＭＴＲ１、特にディジタル記録媒体に記録を行うディジタルマルチトラックレコーダを例に挙げて説明する。
【００１７】
各チャネルのアナログ入力信号Ｓ１は、入力回路部２に入力されると、トリマー回路（ＴＲＩＭ）１１で入力レベルが調整され、チャネル間のバランスが整えられる。ＴＲＩＭ１１の出力は、スイッチ１２を介してイコライザ回路（ＥＱ）１３に入力され、ここで周波数特性が調整される。ＥＱ１３の出力は、パン回路（ＰＡＮ）１４でステレオ信号Ｓ１Ｌ，Ｓ１Ｒとして分離されると共に左右バランスを整える。ステレオ信号Ｓ１Ｌ，Ｓ１Ｒは、スイッチ１５，１６に供給され、バスラインＧ１，Ｇ２、又はバスラインＧ３，Ｇ４に選択的に供給される。スイッチ１５，１６は単独でＯＮ、ＯＦＦすることができ、スイッチ１５がＯＮの場合は、信号Ｓ１Ｌ，Ｓ１ＲがバスラインＧ１，Ｇ２上に供給され、スイッチ１６がＯＮの場合は、信号Ｓ１Ｌ，Ｓ１ＲがバスラインＧ３，Ｇ４上に供給される。
【００１８】
一方、他のチャネルに入力されるアナログ信号Ｓ２〜Ｓ４も、入力回路部２と同様の構成の入力回路部３〜５にそれぞれ入力され、これらの回路３〜５を介してバスラインＧ１〜Ｇ４に供給されている。従って、バスラインＧ１〜Ｇ４上では、入力回路部２〜５からの出力信号が重複して供給され、サミングアンプ（ＳＵＭ）２１〜２４によってミキシングされる。バスラインＧ１〜Ｇ４は、外部の装置と接続可能にするバス端子２５に接続されているので、他のＭＴＲのバスラインＧ１〜Ｇ４をバス端子２５を介して相互に接続することができる。
ＳＵＭ２１〜２４から出力されるミキシング信号Ｍ１〜Ｍ４は、レコーダ部２６に入力される。レコーダ部２６に入力されたミキシング信号Ｍ１〜Ｍ４は、Ａ／Ｄ変換器３１でディジタル信号に変換され、所定の記録フォーマットに変換されたのち、記録再生用のヘッド３２に供給され、記録媒体３３の所定のトラックＴＲ１〜ＴＲ４に記録される。
【００１９】
また、記録媒体３３のトラックＴＲ１〜ＴＲ４からヘッド３２を介して再生されるオーディオ信号は、Ｄ／Ａ変換器３４でアナログの再生信号ＰＢ１〜ＰＢ４に変換される。この再生信号ＰＢ１〜ＰＢ４は、入力回路部２〜５にフィードバックされている。各入力回路部２〜５のスイッチ１２は、各チャネルの入力信号Ｓ１〜Ｓ４と、再生信号ＰＢ１〜ＰＢ４のいずれか一方を選択してＥＱ１３に供給する。
【００２０】
次に、このように構成されたＭＴＲ１を複数台使用したシステムについて説明する。
図２は、同実施例のＭＴＲ１を２台用いたシステムの例で、ＭＴＲ１ａ，１ｂをバス端子２５を介して相互に接続した構成を示すブロック図である。このシステムでは、バスＧ１〜Ｇ４が外部に対しむき出しとなるとノイズを拾い易くなるため、バス端子２５をシールド付きマルチケーブル４１で接続し、シールドワイヤを接地端子Ｇ５に接続している。
【００２１】
このように構成すると、２台のＭＴＲ１ａ，１ｂでバスラインＧ１〜Ｇ４が共有されるので、８ｃｈ入力−４ｂｕｓ−８ｔｒＭＴＲを構成することができる。このシステムを使用して、例えば、８チャネルの入力信号Ｓ１，Ｓ２，Ｓ５，Ｓ６及びＳ３，Ｓ４，Ｓ７，Ｓ８をそれぞれミキシングしてＭＴＲ１ａのレコーダ部２６ａにセットされた記録媒体３３（図示せず）のＴＲ１，ＴＲ２及びＴＲ３，ＴＲ４に記録する場合には、入力回路部２ａ，３ａ，２ｂ，３ｂのスイッチ１５，１６をそれぞれＯＮ，ＯＦＦ状態に設定し、入力回路部４ａ，５ａ，４ｂ，５ｂのスイッチ１５，１６をそれぞれＯＦＦ，ＯＮ状態に設定すればよい。これにより、ＭＴＲ１ａ，１ｂで共有するバスラインＧ１に、ステレオ信号Ｓ１Ｌ，Ｓ２Ｌ，Ｓ５Ｌ，Ｓ６Ｌが供給され、バスラインＧ２に、ステレオ信号Ｓ１Ｒ，Ｓ２Ｒ，Ｓ５Ｒ，Ｓ６Ｒが供給され、バスラインＧ３に、ステレオ信号Ｓ３Ｌ，Ｓ４Ｌ，Ｓ７Ｌ，Ｓ８Ｌが供給され、バスラインＧ４に、ステレオ信号Ｓ３Ｒ，Ｓ４Ｒ，Ｓ７Ｒ，Ｓ８Ｒが供給される。そして、各バスラインＧ１〜Ｇ４上の信号が、ＳＵＭ２１ａ〜２４ａで各々加算され、ミキシング信号Ｍ１Ｌ，Ｍ１Ｒ，Ｍ２Ｌ，Ｍ２Ｒとしてレコーダ部２６ａに出力され、ディジタル信号に変換される。これにより、レコーダ部２６ａにセットされた記録媒体のトラックＴＲ１〜ＴＲ４に、入力信号Ｓ１，Ｓ２，Ｓ５，Ｓ６の左成分、右成分、入力信号Ｓ３，Ｓ４，Ｓ７，Ｓ８の左成分及び右成分が、それぞれ記録されることになる。
【００２２】
このように、このシステムによれば、２台のＭＴＲ１ａ，１ｂの全ての入力チャネルを使用しても、これらＭＴＲ１ａ，１ｂからの合成出力を更に合成するためのＭＴＲを、もう１台余分に使用する必要はない。
また、このシステムでは、ＭＴＲ１ａ，１ｂでバスラインＧ１〜Ｇ４が共有されるので、前述した例でバスラインＧ１，Ｇ２上の信号をＭＴＲ１ａのレコーダ部２６ａの記録媒体のトラックＴＲ１，ＴＲ２へ記録し、バスラインＧ３，Ｇ４上の信号をＭＴＲ１ｂのレコーダ部２６ｂの記録媒体のトラックＴＲ３，ＴＲ４へ記録するといったことも可能である。
【００２３】
このように、バスラインＧ１〜Ｇ４をＭＴＲ１ａ，１ｂで共有すると、どのチャネルの入力信号をどのＭＴＲのどのトラックに割り当てるかが制限されることがなく、接続も煩雑になることはない。また、従来のシステムでは、１つの記録媒体にしか情報を記録することができなかったため、トラック数を増やそうとすると、テープの記録幅が狭くなり、Ｓ／Ｎや音質が悪化したが、このシステムによれば、ＭＴＲ１ａ，１ｂの両方セットされた記録媒体に記録することができるので、記録幅を狭めることなく、記録トラック数を増やすことができる。
【００２４】
次に、入力信号Ｓ１〜Ｓ４と、ＭＴＲ１ｂの記録媒体からの再生信号ＰＢ１〜ＰＢ４とをミキシングしてＭＴＲ１ａの記録媒体に記録する場合について説明する。
この場合には、ＭＴＲ１ａの入力回路部２ａ〜５ａのスイッチ１２を入力チャネル側に設定し、ＭＴＲ１ｂの入力回路部２ｂ〜５ｂのスイッチ１２を再生信号ＰＢ１〜ＰＢ４側に設定すればよい。各入力回路部２ａ〜５ａ，２ｂ〜５ｂのスイッチ１５，１６を適宜設定すれば、バスラインＧ１〜Ｇ４上で入力信号Ｓ１〜Ｓ４と再生信号ＰＢ１〜ＰＢ４とがミキシングされ、バスラインＧ１〜Ｇ４を介してＭＴＲ１ａのレコード部２６ａの記録媒体に記録することができる。この記録方法を応用すれば、いわゆるピンポン録音も容易となる。
【００２５】
例えば、ピンポン録音を行う場合、まず、ＭＴＲ１ａの記録媒体の各トラックＴＲ１〜ＴＲ４にギターとフルートとのパートをそれぞれ独立に記録したのち、これらのトラックＴＲ１〜ＴＲ４を再生し、この再生データをＭＴＲ１ｂでミキシングしながら、ＭＴＲ１ｂの記録媒体の空いたトラックＴＲ１，ＴＲ２に記録する。次に、ＭＴＲ１ｂの記録媒体の他のトラックＴＲ３，ＴＲ４にボーカルのパートを独立に記録したのち、ＭＴＲ１ｂの記録媒体の各トラックＴＲ１〜ＴＲ４の再生データをＭＴＲ１ａでミキシングしてＭＴＲ１ａの記録媒体の空きトラックＴＲ１，ＴＲ２に記録する。
この場合、バスラインＧ１〜Ｇ４を共有しているので、ケーブルのつなぎかえはなく、ＭＴＲ操作も含め、作業が容易になると共に記録ミスも生じにくくなる。
【００２６】
なお、以上の実施例において、ＭＴＲ１ａ，１ｂを同期制御させる必要がある場合には、次のようにすれば良い。
即ち、図３に示すように、記録媒体３３にタイムコードトラックを設け、タイムコードを記録する。そして、２台のＭＴＲ１ａ，１ｂでタイムコードが一致するように同期をとる。ＭＴＲ１ａを同期制御の基準となるマスター装置とした場合にはＭＴＲ１ａで読み取られたタイムコードは、タイムコード出力回路３５、スイッチ３６及びバスラインＧ６を介してスレーブ装置であるＭＴＲ１ｂのコントローラ３７に供給される。ＭＴＲ１ｂでは、このタイムコードに基づいて記録媒体３３をサーボ制御する。ここで、バスラインＧ６についてもバス端子２５を介して外部装置と接続可能とすることにより、１本のケーブルでバスラインＧ１〜Ｇ４の共有化と、バスラインＧ６を介した同期制御とが可能になる。
【００２７】
また、バスラインＧ６を用いず、タイムコードを別の外部端子からＭＴＲ１ｂのコントローラ３７に供給しても良い。カセットテープ等のアナログ記録の場合には、１ｔｒをつぶしてＭＩＤＩタイムコードで２台の同期をとったり、シンクロナイザで２台の同期をとることが考えられる。
【００２８】
以上、２台のＭＴＲのバス端子２５をシールド付きマルチケーブルコネクタ４１で相互に接続した場合について述べたが、ｎ台のＭＴＲのバス端子２５を相互に接続した場合についても同様である。
また、以上は、カセットテープ型記録媒体のためのディジタルレコーダの例について説明したが、ＭＤ、ＭＯ等の他のディジタルレコーダや、アナログカセットテープ等のアナログ記録媒体に記録を行うアナログレコーダにもこの発明を適用可能であることはいうまでもない。
【００２９】
図４は、この発明のＭＴＲを用いて複数台のＭＤプレーヤの出力を同期記録する場合の構成を示すブロック図である。
複数台のＭＤプレーヤＭ１，Ｓ１，Ｓ２，…及びＲ１は、記録及び再生が可能なディスク記録再生装置であり、相互に同期をとるために接続されている。ＭＤプレーヤＭ１は、同期再生の基準となるマスター装置で、このＭＤプレーヤＭ１から、スレーブ装置となる他のＭＤプレーヤＳ１，Ｓ２に、転送レートを等しくして同期をとるためのクロック信号ＣＫが供給されている。また、同期に必要な情報は、ＭＤプレーヤＭ１の図示しない同期制御部からＭＤプレーヤＳ１，Ｓ２の同期制御部へ伝えられる。
【００３０】
図５は、図４のシステムの同期再生動作を示すフローチャート、図６は、具体的動作を示すタイムチャートである。
マスター装置Ｍ１はまずディスク上の再生開始アドレスを、他のスレーブ装置Ｓ１，Ｓ２，…に送る（Ｓ１１）。Ｍ１からアドレスを受け取ったＳ１，Ｓ２，…（Ｓ２１）は、そのアドレスをサーチする（Ｓ１２，Ｓ２２）。サーチを完了したスレーブ装置Ｓ１，Ｓ２，…は、サーチ完了をマスター装置Ｍ１に通知して（Ｓ２３）、ポーズ状態となる（Ｓ２４）。マスター装置Ｍ１は、全ての装置のサーチが完了したら（Ｓ１３，Ｓ１４）、ポーズ解除を各装置Ｓ１，Ｓ２，…に通知する（Ｓ１５）。
【００３１】
これにより、各装置Ｍ１，Ｓ１，Ｓ２，…は、ディスクの読み出しを開始し、ディスクのデータを図示しないＥＦＭエンコーダ／デコーダを介してメモリに取り込む（Ｓ１６，Ｓ２６）。ある一定量のデータをメモリに取り込んだところで、Ｓ１，Ｓ２，…は、準備が完了したことをＭ１に伝える（Ｓ２７）。全ての装置が準備完了になったところで（Ｓ１７，Ｓ１８）、Ｍ１は再生開始の信号を他の装置Ｓ１，Ｓ２，…に送る（Ｓ１９）。他の装置Ｓ１，Ｓ２，…は、この信号を受け取ったタイミングで、図示しない音声圧縮／伸長部を動作させ、再生を開始する（Ｓ２８）。
【００３２】
このように、このシステムによれば、ディスクアクセス時の遅れ時間のばらつきに左右されずに、再生開始信号によって各装置Ｍ１，Ｓ１，Ｓ２，…が一斉に再生を開始することができる。
なお、図示しないバッファメモリ内への一定量のデータ転送ごとに、Ｍ１からデータ転送タイミング信号を他の記録再生装置Ｓ１，Ｓ２，…に送るようにすれば、図７に示すように、ディスク記録再生装置ごとに任意の位置から再生の同期をとることができる。
また、図７における装置Ｓ２のように、途中から違うエリアを連続して再生させるような動作をさせようとした場合、再生中にサーチ動作が必要になるが、間欠再生であるため、サーチにより再生が途切れることはなく、サーチ時間によって、同期タイミングがずれることもない。
【００３３】
【発明の効果】
以上述べたように、この発明によれば、マルチトラックレコーダの複数本のバスラインが、これらバスラインを他のマルチトラックレコーダと接続可能にする外部端子に接続されているので、各マルチトラックレコーダの複数本のバスラインを前記外部端子を介して相互に共通のバスとなるように接続することができる。
【００３４】
また、この発明によれば、複数台の前記マルチトラックレコーダの外部端子をマルチケーブルコネクタで相互に接続した場合、前記複数台のマルチトラックレコーダで前記複数本のバスラインを共有することにより、あたかも１台のマルチトラックレコーダのように複数の記録すべき信号をそれぞれ独立して記録することができる。また、接続の煩雑さも解消される。更に、ピンポン録音を行うとき、作業の煩雑さも解消される。
【図面の簡単な説明】
【図１】この発明の一実施例に係るＭＴＲの構成を示すブロック図である。
【図２】同実施例におけるＭＴＲの接続例の構成を示すブロック図である。
【図３】同実施例におけるテープ上のトラックを示す図である。
【図４】この発明のＭＴＲを用いて複数台のＭＤプレーヤの出力を同期記録する場合の構成を示すブロック図である。
【図５】同プレーヤの同期再生動作を示すフローチャートである。
【図６】同プレーヤの同期再生動作を示すタイムチャートである。
【図７】同プレーヤの他の同期再生動作を示すタイムチャートである。
【図８】従来の実施例に係るマルチトラックレコーダを説明するための図である。
【符号の説明】
１，１ａ，１ｂ，５１，５２，５３…ＭＴＲ、２〜５，２ａ〜５ａ，２ｂ〜５ｂ…入力回路部、２１〜２４，２１ａ〜２４ａ，２１ｂ〜２４ｂ…ＳＵＭ、２５…バス端子、２６，２６ａ，２６ｂ…レコーダ部、１１…ＴＲＩＭ、１２，１５，１６，３６…スイッチ、１３…ＥＱ、１４…ＰＡＮ、３１…Ａ／Ｄ変換器、３２…ヘッド、３３…記録媒体、３４…Ｄ／Ａ変換器、３５…タイムコード出力回路、３７…コントローラ、４１…マルチケーブル。
【図１】
0003572708.tif 000002
【図２】
0003572708.tif 000003
【図３】
0003572708.tif 000004
【図４】
0003572708.tif 000005
【図５】
0003572708.tif 000006
【図６】
0003572708.tif 000007
【図７】
0003572708.tif 000008
【図８】
0003572708.tif 000009